(57)【要約】【課題】複製処理の自由度が広く，ユーザの意図を十分に反映させることができる複写機を提供すること。【解決手段】ＭＦＰ１００は，複製の動作態様として，完全複製を行う動作態様Ａと，ＲＦＩＤタグのデータのみを複製する動作態様Ｂと，原稿の画像のみを複製する動作態様Ｃ１，Ｃ２とを備えている。そして，ＲＦＩＤタグを有する原稿を複製する際に，これらの動作態様Ａ，Ｂ，Ｃ１，Ｃ２の中から，実行する動作態様を選択する。そして，選択した動作態様に従って複製を行う。【選択図】            図１６
2010154113.tif 000002
【特許請求の範囲】
【請求項１】
記憶媒体を有する原稿の，当該記憶媒体の複製と当該原稿の画像の複製とが可能な複写機において，
記憶媒体を有する原稿の複製処理の動作態様として，
（Ａ）記憶媒体の複製と原稿の画像の複製とを実行，
（Ｂ）記憶媒体の複製のみを実行，
（Ｃ）原稿の画像の複製のみを実行，
の３つの動作態様（Ａ），（Ｂ），（Ｃ）を有し，それらの動作態様の中から実行する動作態様を選択する選択手段を備えることを特徴とする複写機。
【請求項２】
請求項１に記載する複写機において，
画像読み取り対象の原稿を載置する原稿載置部と，
前記原稿載置部に，記憶媒体を有する原稿が載置されているか否かを判定する原稿判定手段とを備え，
前記選択手段は，前記原稿判定手段にて記憶媒体を有する原稿が載置されないと判断された場合には，前記動作態様（Ａ）および前記動作態様（Ｂ）の選択を制限することを特徴とする複写機。
【請求項３】
請求項２に記載する複写機において，
前記選択手段は，前記原稿判定手段にて記憶媒体を有する原稿が載置されていると判断されたときと，載置されていないと判断されたときとで，それぞれに対応するデフォルトの動作態様を有していることを特徴とする複写機。
【請求項４】
請求項２または請求項３に記載する複写機において，
被複製対象の用紙を収容する給紙部と，
前記給紙部に，記憶媒体を有する用紙が収容されているか否かを判定する用紙判定手段を備え，
前記選択手段は，さらに，前記用紙判定手段にて記憶媒体を有する用紙が収容されていないと判定された場合には，前記原稿判定手段にて記憶媒体を有する原稿が載置されていると判定された場合であっても，前記動作態様（Ａ）および前記動作態様（Ｂ）の選択を制限することを特徴とする複写機。
【請求項５】
請求項１から請求項４のいずれか１つに記載する複写機において，
前記動作態様（Ｃ）では，被複製対象の用紙が記憶媒体を有する場合に，記憶媒体の複製がなされていないことを示す特定の画像を，複製される画像に組み込むことを特徴とする複写機。
【請求項６】
請求項１から請求項５のいずれか１つに記載する複写機において，
原稿の記憶媒体に複製禁止を示す情報が記憶されている場合には，当該原稿の画像の複製のみを行うことを特徴とする複写機。
【請求項７】
請求項１から請求項５のいずれか１つに記載する複写機において，
原稿の記憶媒体に複製禁止を示す情報が記憶されている場合には，当該原稿の記憶媒体の複製処理および画像の複製処理を行わないことを特徴とする複写機。
【請求項８】
請求項１から請求項７のいずれか１つに記載する複写機において，
記憶媒体を有する用紙を利用するか否かを設定する設定手段を備え，
前記設定手段にて記録媒体を有する用紙を利用しないことが設定されており，記録媒体を有する用紙が搬送された場合には，その用紙に画像を複製することなくその用紙を排紙することを特徴とする複写機。
【発明の詳細な説明】
【技術分野】
【０００１】
本発明は，ＲＦＩＤ（Radio Frequency IDentification）タグ等の記憶媒体にアクセス可能な複写機に関する。さらに詳細には，記憶媒体（以下，便宜上「ＲＦＩＤタグ」と称する）が添付された原稿（以下，便宜上「ＲＦＩＤ原稿」と称する）を複製する機能を有する複写機に関するものである。
【背景技術】
【０００２】
従来から，ユーザ情報や画像情報等をＲＦＩＤタグに記憶したＲＦＩＤ原稿の利用が検討されている。ＲＦＩＤタグにアクセス可能な複写機に関連する技術としては，例えば特許文献１に，ＲＦＩＤ原稿のうち，用紙上に形成された画像と，その用紙に添付されたＲＦＩＤタグ内のデータとの双方を，ＲＦＩＤタグが添付された用紙に複製する技術が開示されている。
【特許文献１】特開２００２−３３７４２６号公報
【発明の開示】
【発明が解決しようとする課題】
【０００３】
しかしながら，前記した従来の複写機には，次のような問題があった。すなわち，従来のように原稿画像の複製とＲＦＩＤタグのデータの複製との両方の複製（以下，便宜上「完全複製」と称する）が可能な複写機では，予め定められた完全複製のみが実行されるに過ぎない。そのため，複製処理の自由度が狭く，ユーザの意図を十分に反映させることができない。
【０００４】
本発明は，前記した従来の複写機が有する問題点を解決するためになされたものである。すなわちその課題とするところは，複製処理の自由度が広く，ユーザの意図を十分に反映させることができる複写機を提供することにある。
【課題を解決するための手段】
【０００５】
この課題の解決を目的としてなされた複写機は，記憶媒体を有する原稿の，当該記憶媒体の複製と当該原稿の画像の複製とが可能な複写機であって，記憶媒体を有する原稿の複製処理の動作態様として，（Ａ）記憶媒体の複製と原稿の画像の複製とを実行，（Ｂ）記憶媒体の複製のみを実行，（Ｃ）原稿の画像の複製のみを実行，の３つの動作態様（Ａ），（Ｂ），（Ｃ）を有し，それらの動作態様の中から実行する動作態様を選択する選択手段を備えることを特徴としている。
【０００６】
本発明の複写機は，複製の動作態様として，記憶媒体の複製と原稿の画像の複製とを行う動作態様（Ａ）と，記憶媒体のみを複製する動作態様（Ｂ）と，画像のみを複製する動作態様（Ｃ）とを有している。そして，記憶媒体（例えば，ＲＦＩＤタグ）を有する原稿を複製する際に，これら３つの動作態様（Ａ），（Ｂ），（Ｃ）の中から，実行する動作態様を選択する。すなわち，複製処理の自由度が大きい。これにより，ユーザの意図を反映した複製を行うことができる。
【０００７】
また，本発明の複写機は，画像読み取り対象の原稿を載置する原稿載置部と，原稿載置部に，記憶媒体を有する原稿が載置されているか否かを判定する原稿判定手段とを備え，選択手段は，原稿判定手段にて記憶媒体を有する原稿が載置されないと判断された場合には，動作態様（Ａ）および動作態様（Ｂ）の選択を制限するとよりよい。すなわち，記憶媒体を有していない原稿から記憶媒体の複製はできない。このような状況で動作態様（Ａ）ないし（Ｂ）を選択可能にすると，複製可能と思わせるような誤解を生む可能性がある。そこで，記憶媒体の複製を行う選択肢の選択を制限することで，ユーザの困惑を軽減することが期待できる。また，選択可能な動作態様が明確になり，ユーザにとって使い勝手が良い。
【０００８】
また，上記の複写機における選択手段は，原稿判定手段にて記憶媒体を有する原稿が載置されていると判断されたときと，載置されていないと判断されたときとで，それぞれに対応するデフォルトの動作態様を有しているとよりよい。すなわち，記憶媒体の複製が可能な場合とそうでない場合とで頻繁に利用する動作態様が異なることがある。そこで，デフォルトとしてより好ましい動作態様が設定されることで，使い勝手が向上する。
【０００９】
また，上記の複写機は，被複製対象の用紙を収容する給紙部と，給紙部に，記憶媒体を有する用紙が収容されているか否かを判定する用紙判定手段を備え，選択手段は，さらに，用紙判定手段にて記憶媒体を有する用紙が収容されていないと判定された場合には，原稿判定手段にて記憶媒体を有する原稿が載置されていると判定された場合であっても，動作態様（Ａ）および動作態様（Ｂ）の選択を制限するとよりよい。すなわち，記憶媒体を有していない用紙へ記憶媒体の複製はできない。このような状況で動作態様（Ａ）ないし（Ｂ）をユーザに選択させると，複製可能と思わせるような誤解を生む可能性がある。そこで，記憶媒体の複製を行う選択肢の選択を制限することで，ユーザの困惑を軽減することが期待できる。また，選択可能な動作態様が明確になり，ユーザにとって使い勝手が良い。
【００１０】
また，本発明の複写機の動作態様（Ｃ）では，被複製対象の用紙が記憶媒体を有する場合に，記憶媒体の複製がなされていないことを示す特定の画像を，複製される画像に組み込むとよりよい。すなわち，用紙の記録媒体にデータが複製されない場合，記録媒体にデータが記憶されていないことを紙面から認識できない。そこで，特定の画像を原稿の画像と合わせて印刷することで記憶媒体の状態を認識できる。特定の画像としては，例えばタグ情報が更新されていないことを意味する「タグ情報未更新」の文字列や，複製物であること（すなわち，オリジナルではないこと）を意味する「コピー」の文字列や，それらを意味する所定のマークが該当する。
【００１１】
また，本発明の複写機は，原稿の記憶媒体に複製禁止を示す情報が記憶されている場合には，当該原稿の画像の複製のみを行うとよりよい。あるいは，当該原稿の記憶媒体の複製処理および画像の複製処理を行わないとしてもよい。例えば，重要度が高いことを示す情報（例えば，「社外秘」の文字列）が読み出された場合には，画像のみの複製に限定する，あるいは複製処理そのものを回避する。これにより，情報の流出を抑制することが期待できる。
【００１２】
また，本発明の複写機は，記憶媒体を有する用紙を利用するか否かを設定する設定手段を備え，設定手段にて記録媒体を有する用紙を利用しないことが設定されており，記録媒体を有する用紙が搬送された場合には，その用紙に画像を複製することなくその用紙を排紙するとよりよい。画像の複製のみの複製の場合（例えば，動作態様（Ｃ）や記憶媒体を有しない原稿の複製）では，記憶媒体は利用しない。そこで，記憶媒体付きの用紙を利用するか否かを判断することで，比較的高価な記憶媒体付き用紙の利用を減らすことができる。
【発明の効果】
【００１３】
本発明によれば，複製処理の自由度が広く，ユーザの意図を十分に反映させることができる複写機が実現される。
【発明を実施するための最良の形態】
【００１４】
以下，本発明にかかる印刷装置を具体化した実施の形態について，添付図面を参照しつつ詳細に説明する。本形態は，ＲＦＩＤタグにアクセス可能であり，原稿に添付されたＲＦＩＤタグからデータを取得し，そのデータを用紙に添付されたＲＦＩＤタグに書き込むデータの複製機能を有する複合機（ＭＦＰ：Multi Function Peripheral ）に本発明を適用したものである。
【００１５】
［ＭＦＰの全体構成］
実施の形態のＭＦＰ１００は，図１に示すように，用紙に画像を印刷する画像形成部１０と，原稿の画像を読み取る画像読取部２０とを備えている。また，画像読取部２０の前面側には，液晶ディスプレイからなる表示部４１と，スタートキー，ストップキー，テンキー等から構成されるボタン群４２とを備えた操作パネル４０が設けられ，この操作パネル４０により動作状況の表示やユーザによる入力操作が可能になっている。
【００１６】
［画像読取部の構成］
画像読取部２０は，原稿を読み取って画像データを作成する。具体的に本形態の画像読取部２０は，図２に示すように，原稿の画像を読み取るスキャナ部２１と，原稿の自動搬送を行うＡＤＦ（Auto Document Feeder：自動原稿供給装置）２２とを備えている。スキャナ部２１は，その上面に位置する透明なプラテンガラス２３，２４と，その内部に位置するイメージセンサ２５とを備えている。
【００１７】
ＡＤＦ２２は，読み取り前の原稿を載置する原稿トレイ２２１（原稿載置部の一例）と，読み取り後の原稿を載置する排出トレイ２２２とを備えている。具体的に，原稿トレイ２２１は，排出トレイ２２２の上方に配設されている。そして，ＡＤＦ２２は，原稿トレイ２２１に載置された原稿を１枚ずつ取り出し，その原稿の読み取りが行われた後，その原稿を排出トレイ２２２上に排出する。また，ＡＤＦ２２は，スキャナ部２１の上方を開閉可能に覆い，プラテンガラス２３，２４を含む原稿載置台２６（原稿載置部の一例）上に載置された原稿に対する原稿押さえカバーとしての機能も兼ねる。
【００１８】
原稿の読取方式としては，フラットベッド（原稿固定走査）方式と，ＡＤＦ（原稿移動走査）方式とがある。フラットベッド方式の場合，原稿を１枚ずつプラテンガラス２４（以下，「ＦＢガラス２４」とする）上に載置する。その状態で，イメージセンサ２５が副走査方向（主走査方向に直交方向，図２の矢印Ａ方向）に移動し，その際に主走査方向に１ラインずつ原稿の画像が読み取られる。一方，ＡＤＦ方式の場合，原稿を纏めて原稿トレイ２２１に載置する。そして，イメージセンサ２５がプラテンガラス２３（以下，「ＡＤＦガラス２３」とする）に対向する位置に移動し，固定される。その状態で，原稿がＡＤＦガラス２３に対向する位置（読取位置）に搬送され，その際に主走査方向に１ラインずつ原稿の画像が読み取られる。
【００１９】
続いて，ＡＤＦ２２について詳説する。ＡＤＦ２２の内部には，各種のローラよって原稿トレイ２２１と排出トレイ２２２とを連結する略Ｕ字形状の搬送路２７が設けられている。具体的に，ＡＤＦ２２の搬送路２７は，原稿トレイ２２１からＡＤＦ２２内に取り込まれ，幾つものローラを経由してＵターンし，ＡＤＦガラス２３上を通って排出トレイ２２２に向かう経路を構成している。そして，ＡＤＦガラス２３上の通過時に，原稿の画像が読み取られる。
【００２０】
さらに，ＡＤＦ２２内には，原稿の両面の画像の読み取りを行うための両面読取機構が備えられている。図２中の搬送路２８は，一方の面の画像読み取りが行われた原稿の，他方の面にも画像読み取りが行われるように，原稿を反転してＡＤＦガラス２３に再搬送するための搬送経路である。また，ＡＤＦ２２のケースに設けられたスリット２９は，原稿の一部をＡＤＦ２２外に送り出し，原稿を反転させるために設けられている。
【００２１】
具体的に，ＡＤＦ２２の内部には，スイッチバックローラ２８１と，第１案内フラップ２８２と，第２案内フラップ２８３とが設けられ，搬送路２８を構成している。すなわち，搬送路２８は，第１案内フラップ２８２から第２案内フラップ２８３を経由してスイッチバックローラ２８１に向かう経路になる。
【００２２】
ＡＤＦ２２による両面読み取りでは，原稿トレイ２２１から送り出され，各種のローラを経由し，読取位置にて表面の画像が読み取られる。その後，原稿を，第１案内フラップ２８２によって搬送路２８に案内し，第２案内フラップ２８３を経由してスイッチバックローラ２８１まで搬送する。そして，スイッチバックローラ２８１にて，原稿の搬送方向を反転させる。このとき，第１案内フラップ２８２および第２案内フラップ２８３の向きを切り換える。そして，原稿は，第２案内フラップ２８３にて再び搬送路２７に搬送され，読取位置まで導かれて裏面の画像が読み取られる。これにより，原稿は，表裏が反転され，裏面の画像が読み取られることになる。その後，原稿は，第１案内フラップ２８２を経由して排紙ローラ２７４から排出トレイ２２２に排出される。
【００２３】
また，ＡＤＦ２２は，所定範囲内に存在するＲＦＩＤタグを検知し，そのＲＦＩＤタグに対してデータの読み出しおよび書き込みを行うことが可能なＲ／Ｗ装置５１を備えている。Ｒ／Ｗ装置５１は，ＲＦＩＤ原稿が原稿トレイ２２１上あるいは原稿載置台２６上に載置された場合に，そのＲＦＩＤタグにアクセス可能な範囲に配置される。
【００２４】
［画像形成部の構成］
画像形成部１０は，パーソナルコンピュータ（ＰＣ）等の情報端末装置から送られてくる画像データや画像読取部２０で読み取った原稿の画像データを基に画像を形成し，当該画像を用紙に印刷する。本形態の画像形成部１０は，周知の電子写真方式によって画像を形成するものであり，図３に示すように，画像を形成するプロセス部５０と，未定着のトナー像を定着させる定着装置８と，画像形成前の用紙を載置する給紙カセット９１（給紙部の一例）と，画像形成後の用紙を載置する排紙トレイ９２とを備えている。
【００２５】
画像形成部１０内には，底部に位置する給紙カセット９１に収容された用紙が，給紙ローラ７３，プロセス部５０，定着装置８を通り，排紙ローラ７４を介して上部の排紙トレイ９２への導かれるように，略Ｓ字形状の搬送経路７１が設けられている。すなわち，画像形成部１０は，給紙カセット９１に載置されている用紙を１枚ずつ取り出し，その用紙をプロセス部５０に搬送し，プロセス部５０にて形成されたトナー像をその用紙に転写する。さらに，トナー像が転写された用紙を定着装置８に搬送し，トナー像をその用紙に熱定着させる。そして，定着後の用紙を排紙トレイ９２に排出する。
【００２６】
プロセス部５０は，感光体１と，感光体１の表面を一様に帯電する帯電装置２と，感光体１の表面に光を照射して静電潜像を形成する露光装置３と，静電潜像に対してトナーによる現像を行う現像装置４と，感光体１上のトナー像を用紙に転写させる転写装置５と，感光体１上の残留トナーを除去するクリーニングブレード６とを有している。
【００２７】
プロセス部５０では，感光体１の表面が帯電装置２によって一様に帯電される。その後，露光装置３からの光により露光され，用紙に形成すべき画像の静電潜像が形成される。次いで，現像装置４を介して，トナーが感光体１に供給される。これにより，感光体１上の静電潜像は，トナー像として可視像化される。
【００２８】
さらに，画像形成部１０内には，用紙の両面に印刷を行うための両面印刷機構が備えられている。図３中の搬送路７２は，一方の面に印刷が行われた用紙の，他方の面にも印刷が行われるように，用紙を反転してプロセス部５０に再搬送するための搬送経路である。
【００２９】
画像形成部１０による両面印刷では，表面の搬送路（正搬送路）である搬送路７１を経由して表面に画像形成された用紙を排紙ローラ７４で停止させ，用紙の搬送方向を反転させる。そして，その用紙を排紙ローラ７４から再搬送路である搬送路７２に搬送し，プロセス部５０と給紙カセット９１との間の位置を通過させ，再度プロセス部５０まで導く。これにより，用紙の表裏が反転され，裏面に画像形成されることになる。
【００３０】
また，画像形成部１０は，所定範囲内に存在するＲＦＩＤタグを検知し，そのＲＦＩＤタグに対してデータの読み出しおよび書き込みを行うことが可能なＲ／Ｗ装置５２を備えている。Ｒ／Ｗ装置５２は，ＲＦＩＤ用紙が搬送路７１，７２上に搬送された場合に，そのＲＦＩＤタグにアクセス可能な範囲に配置される。
【００３１】
［ＭＦＰの電気的構成］
続いて，ＭＦＰ１００の電気的構成について説明する。ＭＦＰ１００は，図４に示すように，ＣＰＵ３１と，ＲＯＭ３２と，ＲＡＭ３３と，ＮＶＲＡＭ３４と，ＡＳＩＣ３５と，ネットワークインタフェース３６と，ＦＡＸインタフェース３７とを備えた制御部３０を有している。
【００３２】
ＣＰＵ３１は，ＭＦＰ１００における画像読取機能，画像形成機能等の各種機能を実現するための演算を実行し，制御の中枢となるものである。ＲＯＭ３２には，ＭＦＰ１００を制御するための各種制御プログラムや各種設定，初期値等が記憶されている。ＲＡＭ３３は，各種制御プログラムが読み出される作業領域として，あるいは画像データを一時的に記憶する記憶領域として利用される。ＮＶＲＡＭ（Non Volatile RAM）３４は，不揮発性を有する記憶手段であって，各種設定ないし画像データ等を保存する記憶領域として利用される。
【００３３】
ＣＰＵ３１は，ＲＯＭ３２から読み出した制御プログラムや各種センサから送られる信号に従って，その処理結果をＲＡＭ３３またはＮＶＲＡＭ３４に記憶させながら，ＭＦＰ１００の各構成要素（例えば，画像形成部１０を構成する露光装置の点灯タイミング，用紙の搬送路を構成する各種ローラの駆動モータ（不図示），画像読取部２０を構成するイメージセンサユニットの移動用モータ（不図示））を，ＡＳＩＣ３５を介して制御する。
【００３４】
ネットワークインターフェース３６は，インターネット等のネットワークに接続され，ＰＣ等の情報処理装置との接続を可能にしている。ＦＡＸインターフェース３７は，電話回線に接続され，相手先のＦＡＸ装置との接続を可能にしている。そして，ネットワークインターフェース３６やＦＡＸインターフェース３７を介してジョブのやりとりを行うことができる。
【００３５】
［複製処理］
［第１の形態］
続いて，ＭＦＰ１００における複製処理について説明する。ＭＦＰ１００は，原稿の画像複製機能（原稿の画像読み取り，その読み取った画像データの画像形成）に加え，ＲＦＩＤタグのデータ複製機能（ＲＦＩＤタグのデータの取得，その取得したデータの書き込み）を備えている。そして，以下の説明では，ＲＦＩＤ原稿の複製指示があった場合の複製処理について説明する。
【００３６】
ＭＦＰ１００は，ＲＦＩＤ原稿の複製処理にあたって複数の動作態様を有している。そのため，ＭＦＰ１００では，どの動作態様にて動作するのかが設定されている。本形態では，操作パネル４０の表示部４１に，図５に示すような設定画面を表示し，ユーザに動作態様の選択を促す。そして，ユーザがラジオボタン４１１によって１つの動作態様を選択することで動作態様が設定される（以下，図５の設定画面で設定される設定内容を「設定Ａ」とする）。
【００３７】
具体的に本形態では，次の４つの動作態様が選択可能である。１つ目は，ＲＦＩＤ原稿の画像を，ＲＦＩＤ用紙に印刷し，その原稿のＲＦＩＤタグのデータを，その用紙のＲＦＩＤタグに複製する動作態様（以下，「動作態様Ａ」とする）である。すなわち，動作態様Ａでは，図６に示すように，ＲＦＩＤ原稿８１の画像を，ＲＦＩＤ用紙８５に複製する。さらに，ＲＦＩＤ原稿８１のＲＦＩＤタグ８２の全データを，ＲＦＩＤ用紙８５のＲＦＩＤタグ８６に複製する。つまり，動作態様Ａは完全複製を行う動作態様である。
【００３８】
２つ目は，ＲＦＩＤ原稿のＲＦＩＤタグのデータを，ＲＦＩＤ用紙のＲＦＩＤタグに複製し，そのＲＦＩＤ原稿の画像は複製しない動作態様（以下，「動作態様Ｂ」とする）である。すなわち，動作態様Ｂでは，図７に示すように，ＲＦＩＤ原稿８１のＲＦＩＤタグ８２の全データを，ＲＦＩＤ用紙８５のＲＦＩＤタグ８６に複製する。一方で，ＲＦＩＤ原稿８１の画像は複製しない。
【００３９】
３つ目は，ＲＦＩＤ原稿の画像を，ＲＦＩＤ用紙に複製し，さらにＲＦＩＤ用紙に「Ｃｏｐｙ」マークを印刷し，その原稿のＲＦＩＤタグのデータは複製しない動作態様（以下，「動作態様Ｃ１」とする）である。すなわち，動作態様Ｃ１では，図８に示すように，ＲＦＩＤ原稿８１の画像を，ＲＦＩＤ用紙８５に複製する。一方で，ＲＦＩＤ原稿８１のＲＦＩＤタグ８２のデータは複製しない。ＲＦＩＤタグ８２のデータを複製しない形態では，そのデータが複製されているか否かがＲＦＩＤ用紙８５の外観から不明となる。そこで，動作態様Ｃ１では，ＲＦＩＤ用紙８５に特定のマーク（本形態では「Ｃｏｐｙ」マーク）を印刷する。これにより，ユーザは画像のみが複製されている（つまり，ＲＦＩＤタグのデータは複製されていない）複製物であることを認識できる。
【００４０】
４つ目は，ＲＦＩＤ原稿の画像を，ＲＦＩＤ用紙に複製し，その原稿のＲＦＩＤタグのデータは複製しない動作態様（以下，「動作態様Ｃ２」とする）である。すなわち，動作態様Ｃ２では，図９に示すように，ＲＦＩＤ原稿８１の画像を，ＲＦＩＤ用紙８５に複製する。一方で，ＲＦＩＤ原稿８１のＲＦＩＤタグ８２のデータは複製しない。さらに，動作態様Ｃ１とは異なり，「Ｃｏｐｙ」マークを印刷しない。
【００４１】
ユーザによる選択結果は，ＭＦＰ１００に登録される。すなわち，選択結果がＮＶＲＡＭ３４に記憶される。そして，ＭＦＰ１００の複製処理では，その登録内容に従って，ＲＦＩＤ原稿の複製動作を行う。なお，初期状態では，動作態様Ａがデフォルト設定されており，ユーザによる選択がない状態では動作態様Ａが優先的に選択される。
【００４２】
また，ＭＦＰ１００は，動作態様の登録の他，次の３つの項目について登録されている。１つ目は，ＲＦＩＤタグが添付されていない用紙（以下，「ＲＦＩＤ無用紙」）が給紙された場合に，当該用紙に画像を複製するか否かを登録する。具体的にＭＦＰ１００では，画像を複製しない，画像を複製するとともに「Ｃｏｐｙ」マークを付加する，画像を複製するが「Ｃｏｐｙ」マークは付加しない，の３つの選択肢を有する。そして，操作パネル４０の表示部４１に，図１０に示すような設定画面を表示し，ユーザに選択を促す。そして，ユーザがラジオボタン４１２によって１つの選択肢を選択することで動作態様が設定される（以下，図１０の設定画面で設定される設定内容を「設定Ｂ」とする）。
【００４３】
２つ目は，登録内容に従って複製（デフォルト複製）するか，複製前に各種の設定を行って複製（マニュアル複製）するかを登録する。マニュアル複製では，その設定をジョブ単位で有効にするか，ページ単位で有効にするかを登録する。具体的にＭＦＰ１００では，デフォルト複製，ジョブ毎のマニュアル複製，ページ毎のマニュアル複製，の３つの選択肢を有する。そして，操作パネル４０の表示部４１に，図１１に示すような設定画面を表示し，ユーザに動作態様の選択を促す。そして，ユーザがラジオボタン４１３によって１つの動作態様を選択することで動作態様が設定される（以下，図１１の設定画面で設定される設定内容を「設定Ｃ」とする）。
【００４４】
３つ目は，原稿にＲＦＩＤタグが添付されておらず用紙がＲＦＩＤ用紙であった場合に，その用紙に複製するか，複製せずに排紙するかを登録する。すなわち，ＲＦＩＤタグを有しない原稿（以下，「ＲＦＩＤ無原稿」）の複製では，用紙にＲＦＩＤタグは不要であるが，そのような場合に高価なＲＦＩＤ用紙を使用するか否かを選択する。本形態では，操作パネル４０の表示部４１に，図１２に示すような設定画面を表示し，ユーザに動作態様の選択を促す。そして，ユーザがラジオボタン４１４によって１つの動作態様を選択することで動作態様が設定される（以下，図１２の設定画面で設定される設定内容を「設定Ｄ」とする）。
【００４５】
以下，片面コピーによるＲＦＩＤタグの複製指示があった場合の，複製処理（選択手段，設定手段の一例）の手順について，図１３のフローチャートを参照しつつ説明する。なお，本処理は，ユーザによるＲＦＩＤ原稿の複製指示を契機に実行される。
【００４６】
まず，ＭＦＰ１００に登録されている複製設定を取得する（Ｓ１０１）。具体的には，上述した設定Ａ，Ｂ，Ｃ，Ｄの設定内容を取得する。次に，原稿のＲＦＩＤタグのデータを読み取る（Ｓ１０２）。そして，原稿にＲＦＩＤタグがあるか否かを判断する（Ｓ１０３）。つまり，Ｓ１０２にてＲＦＩＤタグにアクセスできればＲＦＩＤタグがあると判断し，アクセスできなければＲＦＩＤタグがないと判断する。
【００４７】
原稿にＲＦＩＤタグがなければ（Ｓ１０３：ＮＯ），Ｓ１２１に移行してＲＦＩＤ無原稿複製処理を行う。図１４は，Ｓ１２１のＲＦＩＤ無原稿複製処理の手順を示すフローチャートである。まず，原稿の画像を読み取る（Ｓ２０１）。そして，用紙の搬送を開始し，その用紙のＲＦＩＤタグのデータを取得する（Ｓ２０２）。
【００４８】
次に，搬送された用紙にＲＦＩＤタグがあるか否かを判断する（Ｓ２０３）。つまり，Ｓ２０２にてＲＦＩＤタグにアクセスできればＲＦＩＤタグがあると判断し，アクセスできなければＲＦＩＤタグがないと判断する。用紙にＲＦＩＤタグがなければ（Ｓ２０３：ＮＯ），そのＲＦＩＤ無用紙に画像を形成する（Ｓ２０５）。一方，用紙にＲＦＩＤタグがあれば（Ｓ２０３：ＹＥＳ），設定Ｄの内容が「画像を複製する」であるか否かを判断する（Ｓ２０４）。「画像を複製する」であれば（Ｓ２０４：ＹＥＳ），そのＲＦＩＤ用紙に画像を形成する（Ｓ２０５）。「画像を複製しない」であれば（Ｓ２０４：ＮＯ），そのＲＦＩＤ用紙を画像を形成することなく排紙する（Ｓ２１１）。そして，次の記録用紙の搬送を開始し（Ｓ２１２），Ｓ２０３に戻ってＲＦＩＤタグを有しない用紙が搬送されるまで繰り返す。
【００４９】
図１３の説明に戻り，原稿にＲＦＩＤタグがあれば（Ｓ１０３：ＹＥＳ），その取得したＲＦＩＤタグのデータに特定の情報が含まれているか否かを判断する（Ｓ１０４）。本形態では，ＲＦＩＤタグのデータに，当該データの複製の不許可を意味する「複製禁止」の情報が含まれているか否かを判断する。「複製禁止」の情報が含まれている場合には（Ｓ１０４：ＹＥＳ），Ｓ１２１に移行して画像のみの複製を行う。すなわち，「複製禁止」の情報が抽出された場合には，ＭＦＰ１００に記憶されている設定よりも優先してＲＦＩＤタグのデータの複製処理を回避し，画像の複製のみを行う。これにより，ＲＦＩＤタグからの指示によっても，動作態様を管理できる。
【００５０】
なお，本形態では，「複製禁止」の情報が含まれている場合にＲＦＩＤタグのデータの複製のみを回避しているが，画像の複製も併せて回避してもよい。この場合，図１３の点線に示すようにＳ１２１をバイパスする。
【００５１】
一方，「複製禁止」の情報が含まれていない場合には（Ｓ１０４：ＮＯ），設定Ｃの内容がデフォルト複製であるか否かを判断する（Ｓ１０５）。設定Ｃの内容がデフォルト複製であれば（Ｓ１０５：ＹＥＳ），Ｓ１０８のＲＦＩＤ原稿複製処理に移行する。すなわち，登録内容に従って複製処理する。
【００５２】
設定Ｃの内容がデフォルト複製でなければ（Ｓ１０５：ＮＯ），１ページ目の原稿であるか否かを判断する（Ｓ１０６）。１ページ目の原稿であれば（Ｓ１０６：ＹＥＳ），個別の複製設定を受け付ける（Ｓ１４１）。具体的には，上述した設定Ａ，Ｂの設定画面を順次に表示し，両設定を受け付ける。ユーザによる設定後は，その設定内容をＮＶＲＡＭ３４に記憶し（Ｓ１４２），Ｓ１０８のＲＦＩＤ原稿複製処理に移行する。また，１ページ目の原稿でなければ（Ｓ１０６：ＮＯ），設定Ｃの内容がページ毎のマニュアル複製であるか否かを判断する（Ｓ１０７）。設定Ｃの内容がページ毎のマニュアル複製でなければ（Ｓ１０７：ＮＯ），その設定内容がジョブ毎のマニュアル設定であることから，Ｓ１０８のＲＦＩＤ原稿複製処理に移行し，Ｓ１４２で記憶した１ページ目の設定に従って複製する。設定Ｃの内容がページ毎のマニュアル複製であれば（Ｓ１０７：ＹＥＳ），Ｓ１４１に移行し，次のページの複製設定を行う。そして，設定内容を記憶した後，Ｓ１０８のＲＦＩＤ原稿複製処理に移行する。
【００５３】
図１５は，Ｓ１０８のＲＦＩＤ無原稿複製処理の手順を示すフローチャートである。まず，原稿の画像を読み取る（Ｓ２２１）。そして，用紙の搬送を開始する（Ｓ２２２）。そして，搬送された用紙にＲＦＩＤタグがあるか否かを判断する（Ｓ２２３）。
【００５４】
用紙にＲＦＩＤタグがない場合には（Ｓ２２３：ＮＯ），ＲＦＩＤタグの複製ができない。そこで，設定Ｂの内容が「画像を複製しない」であるか否かを判断する（Ｓ２２４）。「画像を複製しない」の場合には（Ｓ２２４：ＹＥＳ），その用紙を画像を形成することなく排紙する（Ｓ２３１）。そして，次の記録用紙の搬送を開始し（Ｓ２３２），Ｓ２２３に戻ってＲＦＩＤ用紙が搬送されるまで繰り返す。
【００５５】
一方，設定Ｂの内容が「画像を複製しない」以外の場合には（Ｓ２２４：ＮＯ），設定Ｂの内容が「画像を複製する」であって，「Ｃｏｐｙ」マークを付加するであるか否かを判断する（Ｓ２２５）。「Ｃｏｐｙ」マークを付加する設定の場合には（Ｓ２２５：ＹＥＳ），Ｓ２２１で読み取った画像に「Ｃｏｐｙ」マークを付加した画像を作成する（Ｓ２２６）。そして，その画像を用紙上に形成する（Ｓ２２７）。「Ｃｏｐｙ」マークを付加しない設定の場合には（Ｓ２２５：ＮＯ），Ｓ２２１で読み取った画像をそのまま用紙上に形成する（Ｓ２２７）。
【００５６】
一方，用紙にＲＦＩＤタグがある場合には（Ｓ２２３：ＹＥＳ），Ｓ２４１に移行して記録処理を行う。図１６は，Ｓ２４１の記録処理の手順を示すフローチャートである。まず，設定Ａが動作態様Ａであるか否かを判断する（Ｓ２５１）。設定Ａが動作態様Ａであれば（Ｓ２５１：ＹＥＳ），用紙のＲＦＩＤタグに，Ｓ１０２で取得したＲＦＩＤタグのデータを書き込み（Ｓ２６１），さらに用紙にＳ２２１で読み取った原稿の画像を形成する（Ｓ２６２）。つまり，完全複製を行う。
【００５７】
設定Ａが動作態様Ａでなければ（Ｓ２５１：ＮＯ），設定Ａが動作態様Ｂであるか否かを判断する（Ｓ２５２）。設定Ａが動作態様Ｂであれば（Ｓ２５２：ＹＥＳ），用紙のＲＦＩＤタグに，Ｓ１０２で取得したＲＦＩＤタグのデータを書き込む（Ｓ２７１）。つまり，ＲＦＩＤタグの複製のみを行う。
【００５８】
設定Ａが動作態様Ｂでなければ（Ｓ２５２：ＮＯ），設定Ａが動作態様Ｃ１であるか否かを判断する（Ｓ２５３）。設定Ａが動作態様Ｃ１であれば（Ｓ２５３：ＹＥＳ），Ｓ２２１で読み取った画像に「Ｃｏｐｙ」マークを付加した画像を作成する（Ｓ２５４）。そして，その画像を用紙上に形成する（Ｓ２５５）。設定Ａが動作態様Ｃ１でなければ（Ｓ２５３：ＮＯ），すなわち動作態様Ｃ２であれば，Ｓ２２１で読み取った画像をそのまま用紙上に形成する（Ｓ２５５）。
【００５９】
図１３の説明に戻り，Ｓ１２１のＲＦＩＤ無原稿複製処理後，あるいはＳ１０８のＲＦＩＤ原稿複製処理後は，次の原稿があるか否かを判断する（Ｓ１０９）。次の原稿の有無は，例えば操作パネル４０の表示部４１に，次の原稿があるか否かを問い合わせる画面を表示し，その画面に対するユーザからの入力によって判断する。次の原稿がある場合には（Ｓ１０９：ＹＥＳ），Ｓ１０２の処理に戻って複製を繰り返す。次の原稿がない場合には（Ｓ１０９：ＮＯ），本処理を終了する。
【００６０】
［第２の形態］
続いて，第２の形態の複製処理（選択手段，原稿判定手段，用紙判定手段の一例）について，図１７のフローチャートを参照しつつ説明する。第２の形態の複製処理では，複製を指示した後に，各種の複製設定を行う。すなわち，複製を行う度に複製設定を行う。この点，複製を指示する前に，各種の複製設定をＭＦＰ１００に登録し，その登録内容に従って動作する第１の形態とは異なる。また，本形態のＭＦＰ１００では，給紙カセット９１内に位置するＲＦＩＤタグにアクセス可能なＲ／Ｗ装置が設けられている。
【００６１】
まず，原稿が原稿トレイ２２１ないし原稿載置台２６に載置されたことを検知し，さらにその原稿のＲＦＩＤタグのデータを読み取る（Ｓ３０１）。次に，原稿にＲＦＩＤタグが添付されているか否かを判断する（Ｓ３０２）。つまり，原稿トレイ２２１上あるいは原稿載置台２６上にＲＦＩＤタグが在り，そのＲＦＩＤタグからの応答信号を受信したか否かを判定する。
【００６２】
原稿にＲＦＩＤタグがあれば（Ｓ３０２：ＹＥＳ），用紙の供給元として選択されている給紙部（本形態では，給紙カセット９１）に収容されている用紙の，ＲＦＩＤタグのデータを読み取る（Ｓ３０３）。次に，用紙にＲＦＩＤタグが添付されているか否かを判定する（Ｓ３０４）。つまり，給紙カセット９１内にＲＦＩＤタグが在り，そのＲＦＩＤタグからの応答信号を受信したか否かを判定する。
【００６３】
原稿にＲＦＩＤタグがあれば（Ｓ３０４：ＹＥＳ），操作パネル４０の表示部４１に，複製設定を行う設定画面を表示し（Ｓ３０５），ユーザからの入力を受け付ける（Ｓ３０６）。具体的には，図５に示したような設定画面を表示し，動作態様の設定を促す。Ｓ３０５は，原稿と用紙との両方でＲＦＩＤタグを有していると判定された場合の処理であり，前述した４つの動作態様すべてが選択可能になる。設定内容（設定Ａ）は，ＭＦＰ１００に登録される。
【００６４】
一方，原稿と用紙との少なくとも一方でＲＦＩＤタグが無いと判定された場合には（Ｓ３０２：ＮＯもしくはＳ３０４：ＮＯ），ＲＦＩＤタグの複製の選択を制限した設定画面を表示する（Ｓ３２１）。具体的には，図１８に示すように動作態様の選択肢の中からＲＦＩＤタグの複製を行う動作態様Ａ，Ｂを除去し，ＲＦＩＤタグの複製を行わない動作態様Ｃ１，Ｃ２のみを選択肢とした設定画面を表示する。さらに，デフォルトの選択肢を動作態様Ａから動作態様Ｃ１に変更する。これにより，ＲＦＩＤタグを添付していない原稿にもかかわらずＲＦＩＤタグの複製を指示してしまうことを回避できる。また，ＲＦＩＤタグを添付した用紙を用意していないにもかかわらずＲＦＩＤタグの複製を指示してしまうことを回避できる。
【００６５】
なお，動作態様の選択肢を制限する方法は，制限対象の動作態様を非表示にすることに限るものではない。例えば，制限対象の動作態様をグレーアウト表示し，選択不能としてもよい。
【００６６】
ユーザからの設定を受け付けてその内容を登録した後，原稿の搬送を開始して原稿の画像を読み取る（Ｓ３０７）。そして，読み取った情報を，Ｓ３０６にて設定した動作態様に従って用紙に記録する（Ｓ２４１）。
【００６７】
以上詳細に説明したようにＭＦＰ１００は，複製の動作態様として，完全複製を行う動作態様Ａと，ＲＦＩＤタグのみを複製する動作態様Ｂと，画像のみを複製する動作態様Ｃ１，Ｃ２とを備えている。そして，ＲＦＩＤタグを有する原稿を複製する際に，これら４つの動作態様Ａ，Ｂ，Ｃ１，Ｃ２の中から，実行する動作態様を選択する。すなわち，複製処理の自由度が大きい。これにより，ユーザの意図を反映した複製を行うことができる。
【００６８】
なお，本実施の形態は単なる例示にすぎず，本発明を何ら限定するものではない。したがって本発明は当然に，その要旨を逸脱しない範囲内で種々の改良，変形が可能である。例えば，複合機（ＭＦＰ）に限らず，複写機等，原稿読取機能および画像形成機能を備えるものであれば適用可能である。また，画像形成部の画像形成方式は，電子写真方式に限らず，インクジェット方式であってもよい。また，カラー画像の形成が可能であっても，モノクロ画像専用であってもよい。
【００６９】
また，実施の形態では，画像読取部２０と画像形成部１０とでともに両面での画像読み取りないし画像形成を可能にしているが，これに限るものではない。すなわち，片面の画像読み取りないし画像形成をサポートするのみであっても適用可能である。
【００７０】
また，実施の形態では，ＲＦＩＤ無原稿の画像の複製の際に，ＲＦＩＤ用紙を利用するか否かの判断を行っているが（Ｓ２０３），ＲＦＩＤ用紙の利用判断はＲＦＩＤ無原稿の複製に限るものではない。すなわち，ＲＦＩＤ原稿を複製する際にも，ＲＦＩＤタグの複製を行わない動作態様Ｃ１，Ｃ２においてＲＦＩＤ用紙を利用するか否かを設定するように構成してもよい。そして，ＲＦＩＤ用紙を利用しないことが設定されている場合には，ＲＦＩＤ用紙を排紙し，次の用紙を搬入するように構成してもよい。
【図面の簡単な説明】
【００７１】
【図１】実施の形態にかかる複合機の概略構成を示す斜視図である。
【図２】実施の形態にかかる複合機の，画像読取部の概略構成を示す図である。
【図３】実施の形態にかかる複合機の，画像形成部の概略構成を示す図である。
【図４】実施の形態にかかる複合機の電気的構成を示すブロック図である。
【図５】ＲＦＩＤ原稿をＲＦＩＤ用紙に複製する際の，設定画面（設定Ａ）の一例を示す図である。
【図６】ＲＦＩＤ原稿の，画像およびＲＦＩＤタグのデータをＲＦＩＤ用紙に複製する動作態様（動作態様Ａ）のイメージを示す図である。
【図７】ＲＦＩＤ原稿の，ＲＦＩＤタグのデータのみをＲＦＩＤ用紙に複製する動作態様（動作態様Ｂ）のイメージを示す図である。
【図８】ＲＦＩＤ原稿の，画像のみをＲＦＩＤ用紙に複製し，「Ｃｏｐｙ」マークを付加する動作態様（動作態様Ｃ１）のイメージを示す図である。
【図９】ＲＦＩＤ原稿の，画像のみをＲＦＩＤ用紙に複製し，「Ｃｏｐｙ」マークを付加しない動作態様（動作態様Ｃ２）のイメージを示す図である。
【図１０】動作態様Ｃ１あるいはＣ２が選択された際に，ＲＦＩＤタグを有しない用紙への画像複製を行うか否かを設定する設定画面（設定Ｂ）の一例を示す図である。
【図１１】ＲＦＩＤ原稿をＲＦＩＤ用紙に複製する際に，デフォルト設定に従うか否かを設定する設定画面（設定Ｃ）の一例を示す図である。
【図１２】ＲＦＩＤ無用紙の画像複製の際に，ＲＦＩＤタグを有する用紙への画像複製を行うか否かを設定する設定画面（設定Ｄ）の一例を示す図である。
【図１３】ＲＦＩＤ原稿の複製指示があった場合における複製処理（自動）の手順を示すフローチャートである。
【図１４】複製処理中のＲＦＩＤ無原稿複製処理の手順を示すフローチャートである。
【図１５】複製処理中のＲＦＩＤ原稿複製処理の手順を示すフローチャートである。
【図１６】複製処理中の記録処理の手順を示すフローチャートである。
【図１７】ＲＦＩＤ原稿の複製指示があった場合における複製処理（手動）の手順を示すフローチャートである。
【図１８】ＲＦＩＤ原稿をＲＦＩＤ用紙に複製する際の，選択肢が制限された状態の設定画面（設定Ａ）の一例を示す図である。
【符号の説明】
【００７２】
１０    画像形成部
２０    画像読取部
３０    制御部
４０    操作パネル
４１    表示部
５１    Ｒ／Ｗ装置
５２    Ｒ／Ｗ装置
１００  ＭＦＰ
【図１】
2010154113.tif 000003
【図２】
2010154113.tif 000004
【図３】
2010154113.tif 000005
【図４】
2010154113.tif 000006
【図５】
2010154113.tif 000007
【図６】
2010154113.tif 000008
【図７】
2010154113.tif 000009
【図８】
2010154113.tif 000010
【図９】
2010154113.tif 000011
【図１０】
2010154113.tif 000012
【図１１】
2010154113.tif 000013
【図１２】
2010154113.tif 000014
【図１３】
2010154113.tif 000015
【図１４】
2010154113.tif 000016
【図１５】
2010154113.tif 000017
【図１６】
2010154113.tif 000018
【図１７】
2010154113.tif 000019
【図１８】
2010154113.tif 000020